(57)【要約】【課題】製品の小型化、コストの低減化、操作や調整の容易化を図り、患者自身で操作、調整可能な干渉低周波治療器を提供する。【解決手段】本発明は、周波数の異なる二以上の低周波電流を体内に通電し、干渉させることにより患部の治療を行う干渉低周波治療器において、正弦波の基本搬送波を生成する基本搬送波生成手段１４と、正弦波の変調波を生成する変調波生成手段１５と、ＤＣバイアスを印加するＤＣバイアス手段１７と、該ＤＣバイアス手段１７によりＤＣバイアスを印加した状態で前記基本搬送波と前記変調波とを合成し、合成波を生成する合成手段１６とを備えていることを特徴とし、製品の小型化、コストの低減化、操作や調整の容易化が図れ、患者自身で操作、調整することができる。【選択図】          図１
2004267325.tif 000002
【特許請求の範囲】
【請求項１】
周波数の異なる二以上の低周波電流を体内に通電し、干渉させることにより患部の治療を行う干渉低周波治療器において、
正弦波の基本搬送波を生成する基本搬送波生成手段と、
正弦波の変調波を生成する変調波生成手段と、
ＤＣバイアスを印加するＤＣバイアス手段と、
該ＤＣバイアス手段によりＤＣバイアスを印加した状態で前記基本搬送波と前記変調波とを合成し、合成波を生成する合成手段と、
を備えていることを特徴とする干渉低周波治療器。
【請求項２】
前記合成手段により生成された合成波を増幅する増幅手段をさらに備え、該増幅手段はパワーアンプ回路を備えている請求項１に記載の干渉低周波治療器。
【請求項３】
前記基本搬送波生成手段及び前記変調波生成手段は、所定周波数のパルス波を出力する発振回路と、該発振回路から出力された前記パルス波を正弦波に変換するＲＣ回路とを備えている請求項１又は２に記載の干渉低周波治療器。
【発明の詳細な説明】
【０００１】
【発明の属する技術分野】
本発明は、周波数の異なる二以上の低周波電流を体内に通電し、干渉させることにより、患部を刺激し、治療を行う干渉低周波治療器に関する。
【０００２】
【従来の技術】
従来のこの種の干渉低周波治療器は、図５に示すように、床置型の本体１より出力された周波数の異なる二つの低周波電流を、患者の皮膚に貼着した二対の導子（図示せず）を介して患者の体内に流し、干渉させ、患者の患部を刺激することにより治療を行うものである。そして、本体１には、その出力を発光図形で表示する表示器２と、操作・調整用のツマミ３等を配設した設定パネル４と、前記導子を収納する収納容器部５とが設けられている（例えば、特許文献１参照）。
【０００３】
【特許文献１】
特開平９−２９９４９０号公報（第２〜３頁、図２）
【０００４】
【発明が解決しようとする課題】
一般に、干渉低周波治療器においては、数ＫＨｚ、例えば４〜５ＫＨｚの電流を少なくとも二以上、体内に流す必要があり、しかも、その電流は通常の低周波治療器に用いるパルス波ではなく、出力源側に常に負荷の掛かる正弦波とする必要がある。そのため、上記した従来の干渉低周波治療器では、本体１側に大型の電源回路や制御回路等が必要となり、また、エネルギーロスが大きくなり、それに伴って発熱量も増大し、放熱器やファン等の大型の冷却装置が必要となるため、製品の小型化やコスト低減化が図り難いといった問題があった。
【０００５】
また、実際の治療に必要な正弦波は３０Ｖ程度であるため、電池の電圧では不足し、単にトランスで電圧を増幅しても、大きな電流が必要になり、その分トランジスタでのエネルギーロスが大きくなるといった問題があった。また、例え、低損失のトランジスタを使用したとしても、電流が大きければそのエネルギーロスが大きくなることに変わりはなかった。さらにまた、電池を使用すると、内部抵抗が増加し、電圧が低下するので、終止電圧により使用する限界を設定する必要があるが、波形が温度等によりドリフトし、熱により回路の抵抗値が変化することにより、電圧が変動し、正弦波の中心線がずれるといった問題もあった。したがって、従来の干渉低周波治療器を電池で駆動させることは極めて困難であった。
【０００６】
さらに、周波数の設定や出力強度の調整をツマミ３により手動で行っていたため、それらの値を正確に設定することが難しく、調整に手間が掛かるといった問題もあった。したがって、従来の干渉低周波治療器は、医師等の専門家でなければ正しく操作、調整することができず、例え、医師等の指導を受けたとしても、患者自身が自宅で使用することは不可能であった。
【０００７】
本発明は、上記課題を解決すべくなされたものであり、製品の小型化、コストの低減化、操作や調整の容易化を図り、患者自身で操作、調整可能な干渉低周波治療器を提供するものである。
【０００８】
【課題を解決するための手段】
本発明は、周波数の異なる二以上の低周波電流を体内に通電し、干渉させることにより患部の治療を行う干渉低周波治療器において、正弦波の基本搬送波を生成する基本搬送波生成手段と、正弦波の変調波を生成する変調波生成手段と、ＤＣバイアスを印加するＤＣバイアス手段と、該ＤＣバイアス手段によりＤＣバイアスを印加した状態で前記基本搬送波と前記変調波とを合成し、合成波を生成する合成手段とを備えていることを特徴とするものである。
【０００９】
好ましくは、前記合成手段により生成された合成波を増幅する増幅手段をさらに備え、該増幅手段はパワーアンプ回路を備えているものである。
【００１０】
また、前記基本搬送波生成手段及び前記変調波生成手段は、所定周波数のパルス波を出力する発振回路と、該発振回路から出力された前記パルス波を正弦波に変換するＲＣ回路とを備えているものである。
【００１１】
そして、このような構成により、製品の小型化、コストの低減化、操作や調整の容易化が図れ、患者自身で操作、調整することができるようになる。
【００１２】
【発明の実施の形態】
図面を参照しつつ、本発明の実施の形態を説明する。
【００１３】
本発明の実施の形態に係る干渉低周波治療器は、コントローラ本体１１（図４参照）と、コントローラ本体１１に接続される少なくとも二対の導子（図示せず）とから構成されている。そして、該各導子をそれぞれ患者の皮膚に貼着した状態で、コントローラ本体１１から周波数の異なる二つの低周波電流を出力させ、前記各導子を介して各電流を患者の患部で交差するように流し、干渉させることにより患者の患部を刺激し、治療を行うようになっている。
【００１４】
コントローラ本体１１内部には、それぞれ異なる所定周波数の電流を出力するための回路が２組設けられているが、簡略化のため、図１にはその内の１組、例えば、４ＫＨｚの電流を出力するための第１回路１２のみが示されている。
【００１５】
第１回路１２は、電源回路（図示せず）と、ＣＰＵ１３と、それぞれＣＰＵ１３に対して並列に接続される基本搬送波生成回路１４及び変調波生成回路１５と、基本搬送波生成回路１４及び変調波生成回路１５と共に加算回路１６に接続されるＤＣバイアス回路１７と、加算回路１６の出力側に接続される増幅回路１８と、コンデンサ（図示せず）を介して増幅回路１８の出力側に接続されるトランス１９とから概略構成されている。そして、増幅回路１８は、図２に示すようなパワーアンプ回路２０を備えているのが好ましく、この場合には、コレクタ飽和電圧を極限まで低減することによりコレクタ損失の低減を図り、発熱を抑制することができる。
【００１６】
基本搬送波生成回路１４及び変調波生成回路１５はそれぞれ、ＣＰＵ１３に接続される発振回路２１，２１’と、発振回路２１，２１’の出力側に接続されると共にＣＰＵ１３に接続されるＲＣ回路２２，２２’と、ＲＣ回路２２，２２’の出力側にＯＰアンプ２３（図３参照）を介して接続されるＤＣカット回路２４，２４’とから構成されている。
【００１７】
また、図１には示されていないが、コントローラ本体１１内部には第２回路が設けられ、該第２回路は第１回路１２と同様の構成を有し、第１回路１２と異なる周波数、例えば、４００２Ｈｚの電流を出力するように構成されている。
【００１８】
図４に示されているように、コントローラ本体１１は持ち運び可能な重量及び大きさを有し、例えば、１．５Ｖの電池４本により駆動されるように構成されている。そして、コントローラ本体１１の表面には、それぞれ押し釦式の、電源スイッチ２５、周波数切替スイッチ２６、及び出力強度調整用スイッチ２７が配設されていると共に、周波数及び出力強度をデジタル表示可能な液晶表示器（ＬＣＤ）２８が設けられている。このように、コントローラ本体１１が持ち運び可能となり、また、押し釦式のスイッチ２５，２６，２７や液晶表示器２８を採用することにより操作や調整が容易となるため、患者自身が自宅でコントローラ本体１１の操作、調整を行うことができるようになる。
【００１９】
次に、本発明の実施の形態に係る干渉低周波治療器の作用を説明する。
【００２０】
先ず、電源スイッチ２５を押して電源を入れた後、周波数切替スイッチ２６及び出力強度調整用スイッチ２７を押し、第１回路１２及び前記第２回路の各出力周波数をそれぞれ４ＫＨｚと４００２Ｈｚに設定する。第１回路１２の基本搬送波生成回路１４では、ＣＰＵ１３からの指令に基づき、発振回路２１より４ＫＨｚのパルス波が生成され、該パルス波はＲＣ回路２２において積分され、正弦波に変換される。この正弦波は、ＯＰアンプ２３（図３参照）により増幅された後、ＤＣカット回路２４を経由して４ＫＨｚの正弦波の基本搬送波となる。また、変調波生成回路１５では、基本搬送波生成回路１４の場合と同様に、発振回路２１’，ＲＣ回路２２’，ＯＰアンプ２３，ＤＣカット回路２４’により２Ｈｚの正弦波の変調波が生成される。基本搬送波生成回路１４及び変調波生成回路１５において生成された基本搬送波及び変調波は、ＤＣバイアス回路１７によりＤＣバイアスを印加された状態で加算回路１６において合成され、４ＫＨｚの合成波の電流となる。
【００２１】
この場合、電源電圧が６．０Ｖ（１．５Ｖ×４）なので、正弦波の基本搬送波の生成、正弦波の変調波の生成、及びそれらの合成波の生成は、波形がカットされるのを防止するため、０〜６．０Ｖの範囲内で行わなければならない。そこで、図５に示すように、終止電圧を４．０Ｖとし、使用限界を設定し、さらに、ドリフトにより波形が上下に微妙に移動して正弦波の中心がずれるのを考慮して、発振回路２１，２１’でのパルス波の電圧を３．３Ｖに設定し、パルス波が正弦波に変換される時に、図６に示すように、さらに３．０Ｖ程度まで小さくなるように設定する。そうすると、該３．０Ｖの正弦波は前記３．３Ｖのパルス波の中心線Ｃを中心に上下に均等に振り分けられるので、０．１５Ｖから３．１５Ｖの範囲の正弦波が生成される（図６参照）。この結果、ドリフトによる電圧の変動や、電池の電圧の低下が起こっても、生成された正弦波は０〜４．０Ｖの範囲内に収まるので、波形がカットされることにより波形が乱れることはない。
【００２２】
また、基本搬送波と変調波を合成する場合、その基準となるそれぞれの波形の中心線がずれている場合があるので、基本搬送波と変調波は共に上記したようにＤＣカット回路２４，２４’により一度ＤＣカットし、それぞれの正弦波の中心が０Ｖになるようにした後、加算回路１６において基本搬送波と変調波とを合成するようにしている。
【００２３】
実際の治療においては、３０Ｖ（Ｒ＝５００Ω、Ｉ＝６０ｍＡ）の正弦波が必要となるので、次に、６００ｍＡの電流を流して、この３．０Ｖの正弦波を３０Ｖに増幅する必要がある。しかし、電流が大きい程、熱量を放出し易く、電池の耐久性が低下するので、先ず、電池の電圧を利用し、増幅回路１８、すなわち、パワーアンプ回路２０により、３．０Ｖを終止電圧の４．０Ｖまで増幅した後、トランス１９により４．０Ｖを３０Ｖに増幅する。この結果、６００ｍＡではなく、４５０ｍＡの電流を流せばよいので、消費熱量が減少し、電池の耐久性が向上する。
【００２４】
一方、前記第２回路（図示せず）においても、第１回路１２の場合と同様の作用により、４００２Ｈｚの合成波が生成される。そして、第１回路１２において生成された合成波は患者の皮膚に貼付された一対の前記導子（図示せず）に送られ、前記第２回路（図示せず）で生成された合成波は前記一対の導子とは別の対の導子（図示せず）に送られる。
【００２５】
前記各対の導子に送られた４ＫＨｚ及び４００２Ｈｚの電流はそれぞれ前記各対の導子を介して患者の体内に流され、４ＫＨｚの電流と４００２Ｈｚの電流が交差して干渉することにより、患者の患部が刺激される。
【００２６】
このように、第１回路１２及び前記第２回路において、基本搬送波及び変調波の生成から出力までを正電圧電源のみの使用、すなわち単一電源のみにより実現し、また、正弦波の基本搬送波や変調波を発生させるためにＲＣ回路（ＲＣフィルタ）を使用しているため、電源回路及び制御回路の小型化を図ることができる。この結果、上述したようにコントローラ本体１１を電池により駆動させることができ、エネルギーロスや発熱量を低減でき、冷却装置の小型化が図れ、コストの低減化が可能となる。また、このようにコントローラ本体１１を小型化することにより、実際の治療時に使用する電流の出力範囲に適合した製品を提供することが可能となり、製品の経済性を向上させることができる。
【００２７】
なお、上記実施の形態においては、電流を出力するための回路が２組、設けられているが、３組以上設けられてもよく、コントローラ本体１１から出力させる電流は異なる周波数であれば、上記した４ＫＨｚと４００２Ｈｚに限定されるものでないことは言う迄もない。
【００２８】
【発明の効果】
以上述べた如く本発明によれば、製品の小型化、コストの低減化、操作や調整の容易化が図れ、患者自身で操作、調整することが可能となる等種々の優れた効果を得ることができる。
【図面の簡単な説明】
【図１】本発明の実施の形態に係る干渉低周波治療器の回路構成を示すブロック図である。
【図２】本発明の実施の形態に係る干渉低周波治療器のパワーアンプ回路を示す回路図である。
【図３】本発明の実施の形態に係る干渉低周波治療器のＲＣ回路を示す回路図である。
【図４】本発明の実施の形態に係る干渉低周波治療器のコントローラ本体の外観を示す平面図である。
【図５】本発明の実施の形態に係る干渉低周波治療器の作用を示す図である。
【図６】本発明の実施の形態に係る干渉低周波治療器の作用を示す図である。
【図７】従来例の外観を示す斜視図である。
【符号の説明】
１４          基本搬送波生成回路
１５          変調波生成回路
１６          加算回路
１７          バイアス回路
１８          増幅回路
２０          パワーアンプ回路
２１          発振回路
２２          ＲＣ回路
【図１】
2004267325.tif 000003
【図２】
2004267325.tif 000004
【図３】
2004267325.tif 000005
【図４】
2004267325.tif 000006
【図５】
2004267325.tif 000007
【図６】
2004267325.tif 000008
【図７】
2004267325.tif 000009